(57)【要約】【課題】浴槽を移動させることなく床下作業用又は点検用の開口を開けることができると共に、この開口が視認されず、美観に優れた浴室床を提供する。【解決手段】浴室構築予定スペースの床スラブ１上に床架台２が設置され、その上に、浴室床を構成する床材１０が載設されている。洗い場１１の床材１０に床下作業用又は点検用の開口１２が設けられている。開口１２には蓋１３が装着されている。洗い場１１全体を覆うように被装材１４が敷設されている。被装材１４を取り除いて蓋１３を開けることができる。【選択図】図２
2006214125.tif 000002
【特許請求の範囲】
【請求項１】
浴室の洗い場床の基礎となる床材に、床下作業用又は点検用の開口が設けられ、該開口に蓋が装着され、その上側に、該床材全体を覆うように被装材が着脱可能に設けられていることを特徴とする浴室床。
【請求項２】
請求項１において、前記被装材の周縁と該起立壁との間にコーキング等の防水処理が施されていることを特徴とする浴室床。
【請求項３】
請求項１又は２において、前記被装材はシート材よりなり、１枚で洗い場全体を覆う大きさを有していることを特徴とする浴室床。
【請求項４】
請求項１ないし３のいずれか１項において、該被装材の下側に自己粘着性シートが敷設されていることを特徴とする浴室床。
【発明の詳細な説明】
【技術分野】
【０００１】
本発明は浴室床に係り、特に床下作業用又は点検用の開口が設けられた浴室床に関する。
【背景技術】
【０００２】
床スラブ上に防水パンを載置して浴室床を構築することが広く行われている。この防水パンと床スラブとの間のスペース（床下スペース）に排水管等の配管が配設される。この床下スペースに電気ケーブルが引き回されることもある。
【０００３】
特開平１１−８１４１０号公報には、第９図の通り、浴槽載置部３２と洗い場３３とを有する防水パン３１において、該浴槽載置部３２の内底面３２ａに床下点検口３４を設け、この床下点検口３４に蓋板３６を装着し、該蓋板３６を覆うように防水シート３８を貼着した防水パン３１が開示されている。防水パン３１の据付け施工時や施工後に、この床下点検口３４を開けて防水パン３１のレベル調整作業や床下配管の保守・点検等の作業を行うことができる。
【０００４】
なお、防水パン３１の周縁部には、起立壁部４０と、該起立壁部４０から外方に延出した壁パネル載置部４１と、該壁パネル載置部４１の外縁から起立した水返し片４２とが設けられている。また、洗い場３３と浴槽載置部３２との間には、洗い場３３よりも高位となるように凸条５０が立設されている。この凸条５０の洗い場３３側の面が、洗い場３３から起立する起立壁部５１となっている。
【特許文献１】特開平１１−８１４１０号公報
【発明の開示】
【発明が解決しようとする課題】
【０００５】
上記特開平１１−８１４１０号公報の防水パン３１にあっては、浴槽載置部３２に浴槽が設置された後は、浴槽を浴槽載置部３２から移動させないと床下点検口３４を開けることができない。
【０００６】
本発明は、浴槽を移動させることなく床下作業用又は点検用の開口を開けることができると共に、この開口が視認されず、美観に優れた浴室床を提供することを目的とする。
【０００７】
また、本発明は、その一態様において、この開口が洗い場に設けられているにも拘らず洗い場の防水性が良好な浴室床を提供することを目的とする。
【課題を解決するための手段】
【０００８】
本発明（請求項１）の浴室床は、浴室の洗い場床の基礎となる床材に、床下作業用又は点検用の開口が設けられ、該開口に蓋が装着され、その上側に、該床材全体を覆うように被装材が着脱可能に設けられていることを特徴とするものである。
【０００９】
請求項２の浴室床は、請求項１において、前記被装材の周縁と該起立壁との間にコーキング等の防水処理が施されていることを特徴とするものである。
【００１０】
請求項３の浴室床は、請求項１又は２において、前記被装材はシート材よりなり、１枚で洗い場全体を覆う大きさを有していることを特徴とするものである。
【００１１】
請求項４の浴室床は、請求項１ないし３のいずれか１項において、該被装材の下側に自己粘着性シートが敷設されていることを特徴とするものである。
【発明の効果】
【００１２】
本発明の浴室床にあっては、床下作業用又は点検用の開口が浴室の洗い場に設けられており、この洗い場を覆う被装材を取り除いて蓋を開けることができる。従って、本発明では、浴槽を移動させることなく、開口を開け、床下作業又は点検を行うことができる。
【００１３】
本発明の浴室床にあっては、洗い場全体を覆うように被装材が設けられているので、美観が良い。この被装材は洗い場全体を覆っているので、洗い場全体の意匠を整えることができると共に、洗い場の防水性も良好である。
【００１４】
請求項２の通り、被装材の周縁と洗い場の周囲の起立壁との間にコーキング等の防水処理を施すことにより、洗い場の防水性が極めて良好なものとなる。
【００１５】
請求項３の通り、被装材を、防水性を有したシート材より構成すると共に、１枚で洗い場全体を覆う大きさとすることにより、防水性を著しく良好なものとすることができると共に、見栄えも良好なものとなる。
【００１６】
請求項４の態様にあっては、自己粘着性シートを洗い場の床面に敷き、その上に被装材を敷くだけで簡単に被装材の施工を行うことが可能である。また、被装材を剥がすのも容易である。さらに、この自己粘着性シートにより、床に弾力性が付与されると共に、断熱性も高まる。
【発明を実施するための最良の形態】
【００１７】
以下に、図面を参照して本発明の実施の形態について説明する。
【００１８】
第１図は実施の形態に係る浴室床の被装材装着前の斜視図であり、第２図はこの浴室床の被装材装着時の斜視図である。また、第３図はこの浴室床の縦断面図である。
【００１９】
第１図の通り、浴室構築予定スペースの床スラブ１上に床架台２が設置されている。この浴室構築予定スペースは、腰壁３によって囲まれている。床架台２は、囲桁状のフレームと、これを支承する足ボルト等の脚部２ａとを備えており、該フレームは、床スラブ１の上面から所定高さに設置されている。この床架台２上に、浴室床を構成する床材１０が載設されている。ただし、この床材１０は防水パンであってもよい。
【００２０】
図示は省略するが、この床材１０と床スラブ１との間の床下スペース４には、給水管や排水管等の配管が配設されている。なお、電気ケーブルが配設されてもよい。
【００２１】
この床材１０上は、洗い場１１と浴槽載置部（図示略）とに区画されている。この洗い場１１に床下作業用又は点検用の開口１２が設けられている。この開口１２には蓋１３が装着されている。
【００２２】
なお、該洗い場１１と浴槽載置部との間には、前記第９図の凸条５０と同様の凸条（図示略）が設けられている。この凸条の洗い場１１側は、洗い場１１から起立する起立壁部となっている。従って、この洗い場１１は、全周囲が該凸条の起立壁部と、前記腰壁３とからなる起立壁によって取り囲まれている。
【００２３】
開口１２の周縁部には、その周囲の床材１０の上面（洗い場１１の床面）よりも一段低い凹段部１２ａ（第３図）が周設されており、蓋１３の周縁部には、この凹段部１２ａに対し上方から係合するフランジ部１３ａ（第３図）が周設されている。なお、該フランジ部１３ａは、蓋１３の上面と面一状に形成されており、該フランジ部１３ａの上下の厚みは、床材１０の上面からの凹段部１２ａの深さと略同等となっている。従って、第３図の通り、蓋１３が開口１２に装着された状態にあっては、該蓋１３の上面と床材１０の上面とが面一状となる。
【００２４】
洗い場１１上には、蓋１３を含む洗い場１１全体を覆うように被装材１４が敷設されている。この実施の形態では、該被装材１４は、防水性を有したシート材よりなり、洗い場１１と略同一の平面形状、即ち１枚で洗い場１１全体を覆う形状及び大きさを有している。なお、被装材１４の材質に特に制限はなく、ゴムやビニル等の合成樹脂などから適宜選定される。
【００２５】
この実施の形態では、洗い場１１の周縁に沿って粘着材１５が帯状に設けられ、被装材１４の周縁が洗い場１１の周縁に対し該粘着材１５によって貼り付けられている。この粘着材１５は、必要に応じ被装材１４を洗い場１１の上面から引き剥がすことができる程度の粘着力を有したものとなっている。なお、この粘着材１５は、この実施の形態では両面テープよりなるが、粘着材料を塗着したものであってもよい。
【００２６】
被装材１４の表面には、着色や種々の模様等の装飾が施されてもよく、水切り溝や滑り止めの凹凸等が形成されてもよい。
【００２７】
この被装材１４の周縁と、洗い場１１の周囲の腰壁３及び前記凸条の起立壁部との間には、全周にわたってシリコン等を充填することによりコーキング１６（第３図）が施され、防水処理されている。ただし、この被装材１４の周縁の防水処理方法はこれに限定されない。
【００２８】
かかる構成の浴室床にあっては、洗い場１１に床下作業用又は点検用の開口１２が設けられており、この洗い場１１を覆う被装材１４を取り除いて蓋１３を開けることができる。従って、浴槽（図示略）を移動させることなく、該開口１２を開けて床下作業又は点検を行うことができる。
【００２９】
この浴室床にあっては、洗い場１１全体を覆うように被装材１４が設けられているので、美観が良い。この被装材１４は洗い場１１全体を覆っているので、洗い場１１全体の意匠を整えることができると共に、この洗い場１１に開口１２が設けられているにも拘らず、洗い場１１の防水性も良好である。
【００３０】
特に、この実施の形態では、被装材１４は、防水性を有したシート材より構成されており、且つ１枚で洗い場１１全体を覆っているので、防水性と見栄えがいずれも極めて良好である。
【００３１】
また、この実施の形態では、被装材１４の周縁と洗い場１１の周囲の起立壁（腰壁３及び前記凸条の起立壁部）との間にコーキング１６により防水処理が施されているので、洗い場１１の防水性が極めて良好である。
【００３２】
上記の実施の形態では、第１，２図に示す通り、洗い場１１の周縁部に沿って粘着材１５が帯状に設けられているが、粘着材の配設形態はこれに限定されるものではない。第４〜６図は粘着材１５の別の配設例を示す洗い場の斜視図である。
【００３３】
第４図では、帯状の粘着材１５を枡目状に設けている。
【００３４】
第５図では、多数の小片状（ドット状）に、粘着材１５を洗い場１１全体に分散して設けている。
【００３５】
第６図では、洗い場１１全体に粘着材１５を付着させている。
【００３６】
もちろん、上記以外の配設形態を採用してもよい。
【００３７】
上記の実施の形態では粘着材１５により被装材１４を洗い場１１の床面に付着させているが、被装材の付着手段はこれに限定されるものではなく、例えば、マジックテープ（登録商標）等の平面ファスナを用いてもよく、第７図の通りマグネットを用いてもよい。第７図はマグネットを用いた構成例を示す浴室床のマグネット付近の縦断面図である。
【００３８】
第７図の実施の形態では、床材１０の上面に、複数の凹部１７が該床材１０全体に分散して形成され、これらの凹部１７内にそれぞれマグネット１８が接着等によって固着されている。該マグネット１８は、図示の通り、上面が床材１０の上面と面一となるよう配置されている。この実施の形態では、被装材１４Ａは、金属粉などの磁性体が練り込まれた合成樹脂製、あるいは磁性材料製とされ、床材１０上に敷かれたときに各マグネット１８に磁力によって貼り付くよう構成されている。
【００３９】
本発明においては、両面テープや粘着材の代わりにホットメルト接着剤により被装材を洗い場の床面に接着してもよい。なお、このホットメルト接着剤とは、加熱すると軟らかくなって接着対象物に付着し、冷えると硬くなって接着対象物同士を接着する。この場合、被装材の施工に際しては、被装材と洗い場の床面との間にホットメルト接着剤を介在させ、ヒータやアイロン等で被装材の上からこのホットメルト接着剤を加熱して被装材を洗い場の床面に接着する。被装材を洗い場の床面から剥がす場合には、接着部位を加熱してこのホットメルト接着剤を軟らかくしてから被装材を剥がしてもよく、強引に被装材を引き剥がしてもよい。
【００４０】
なお、ホットメルト接着剤以外の接着剤を用いて被装材を洗い場の床面に接着してもよい。
【００４１】
床下作業用又は点検用の開口及び蓋の構成は、第１，２図のものに限定されない。例えば、第８図の実施の形態では、開口１２Ａは洗い場１１を横断する溝状となっており、蓋１３Ａは、１枚でこの開口１２Ａを覆う長尺板状となっている。
【００４２】
図示はしないが、洗い場に複数の開口が設けられてもよい。蓋は、ヒンジ等により開閉するよう構成されてもよい。
【００４３】
上記の各実施の形態はいずれも本発明の一例を示すものであり、本発明は上記の各実施の形態に限定されるものではない。
【００４４】
図示はしないが、本発明では、洗い場１１の全体に自己粘着性シートを敷設し、その上に被装材を敷設してもよい。この自己粘着性シートは、表面に粘着性を有した可塑性樹脂材料よりなるシートであり、厚さは０．５〜２．０ｍｍである。この自己粘着性シートとしては、例えば塩化ビニル系重合体に可塑剤と粘着性付与剤と改質剤を適量配合した組成物をシート状に形成し、アニールしたもの等を用いることができる。
【００４５】
この自己粘着性シートを洗い場１１の床面の全面に敷設し、その上に被装材１４を敷くだけで簡単に被装材１４の施工を行うことが可能である。また、この被装材１４を剥がすのも容易である。また、この自己粘着性シートにより、床に弾力性が付与されると共に、断熱性も高まる。
【００４６】
なお、被装材としては、例えば、以下の（ｉ）〜（iv）の何れかのものが好適である。
（ｉ）  防水性被装材
アクリルウレタン系、アクリルシリコン系、ＦＲＰ、ＰＥ、ＰＶＣ、ＰＰのものを使用すると、耐傷に優れ破け難いので好ましい。
（ii）  吸音性、制振性又は衝撃吸収性被装材
発泡ウレタン、発泡ゴム、ＥＶＡ質エラストマー、グラスウール、多孔質コンクリート、ＦＲＰ製ハニカム、アルミ製ハニカム、フェルト製のもの等。
（iii）  断熱性被装材
発泡スチロール、発泡ウレタン、中空粒子混入樹脂製のもの等。
（iv）  発熱性被装材
電熱線を組み込んだもの等。
【図面の簡単な説明】
【００４７】
【図１】実施の形態に係る浴室床の被装材装着前の斜視図である。
【図２】図１の浴室床の被装材装着時の斜視図である。
【図３】図１の浴室床の縦断面図である。
【図４】別の実施の形態に係る浴室床の斜視図である。
【図５】別の実施の形態に係る浴室床の斜視図である。
【図６】別の実施の形態に係る浴室床の斜視図である。
【図７】マグネットを用いた浴室床のマグネット付近の断面図である。
【図８】床下作業用又は点検用開口及び蓋の別の構成例を示す斜視図である。
【図９】従来例に係る浴室床の斜視図である。
【符号の説明】
【００４８】
１  床スラブ
２  床架台
３  腰壁
４  床下スペース
１０  床材
１１  洗い場
１２，１２Ａ  開口
１３，１３Ａ  蓋
１４，１４Ａ  被装材
１５  粘着剤
１８  マグネット
【図１】
2006214125.tif 000003
【図２】
2006214125.tif 000004
【図３】
2006214125.tif 000005
【図４】
2006214125.tif 000006
【図５】
2006214125.tif 000007
【図６】
2006214125.tif 000008
【図７】
2006214125.tif 000009
【図８】
2006214125.tif 000010
【図９】
2006214125.tif 000011